(57)【要約】  手術中の使用のための、ブリスタパックからの無菌製品の系統的な、制御された除去のためのシステムおよび方法が開示される。
2019520911.tif 000002
【特許請求の範囲】
【請求項１】
ブリスタパックであって、
無菌の保持領域と
無菌の眼科手術器具と、
前記無菌の眼科手術器具の無菌状態を保ちながらの前記無菌の眼科手術器具の制御された除去のための、前記ブリスタパックの裏の少なくとも１つの点と
を含むブリスタパック。
【請求項２】
前記点が圧点である、請求項１に記載のブリスタパック。
【請求項３】
前記点が可動の突起である、請求項１に記載のブリスタパック。
【請求項４】
前記可動の突起が着脱可能である、請求項３に記載のブリスタパック。
【請求項５】
前記可動の突起が、回して外すことができる、請求項３に記載のブリスタパック。
【請求項６】
前記可動の突起が作動させられ得る、請求項３に記載のブリスタパック。
【請求項７】
前記無菌の眼科手術器具がレンズである、請求項２に記載のブリスタパック。
【請求項８】
前記無菌の眼科手術器具がレンズである、請求項３に記載のブリスタパック。
【請求項９】
前記圧点の印が付けられている、請求項３に記載のブリスタパック。
【請求項１０】
１番目に使用されるべきであることを示すために印が付けられた第１圧点と、
２番目に使用されるべきであることを示すために印が付けられた第２圧点と
をさらに含む、請求項４に記載のブリスタパック。
【請求項１１】
無菌の眼科手術器具をブリスタパックから除去するための方法であって、
前記ブリスタパックから保護層を除去するステップと、
前記ブリスタパックを逆さにするステップと、
前記ブリスタパックを無菌の表面上に置くステップと、
前記ブリスタパックの裏の少なくとも１つの画定された圧点に圧力をかけるステップと、
前記眼科手術器具が依然として無菌である状態で前記ブリスタパックを除去するステップと
を含む方法。
【請求項１２】
前記無菌の眼科手術器具がレンズである、請求項１１に記載の方法。
【請求項１３】
前記圧点の印が付けられている、請求項１１に記載の方法。
【請求項１４】
前記ブリスタパックの前記裏の少なくとも１つの画定された圧点に圧力をかける前記ステップが、
１番目に使用されるべきであることを示すために印が付けられた第１圧点を押すことと、
２番目に使用されるべきであることを示すために印が付けられた第２圧点を押すことと
を含む、請求項１３に記載の方法。
【請求項１５】
前記圧点が可動の突起である、請求項１１に記載の方法。
【請求項１６】
前記ブリスタパックの前記裏の少なくとも１つの画定された圧点に圧力をかけるステップが、前記突起を引き寄せることを含む、請求項１５に記載の方法。
【請求項１７】
前記ブリスタパックの前記裏の少なくとも１つの画定された圧点に力をかけるステップが、前記突起を回して外すことを含む、請求項１５に記載の方法。
【請求項１８】
前記ブリスタパックの前記裏の少なくとも１つの画定された圧点に圧力をかけるステップが、前記突起を作動させることを含む、請求項１５に記載の方法。
【請求項１９】
前記無菌の眼科手術器具がレンズである、請求項１５に記載の方法。
【請求項２０】
前記ブリスタパックの前記裏の少なくとも１つの画定された圧点に圧力をかける前記ステップが、
１番目に使用されるべきであることを示すために印が付けられた第１突起を動かすことと、
２番目に使用されるべきであることを示すために印が付けられた第２突起を動かすことと
を含む、請求項１５に記載の方法。
【発明の詳細な説明】
【技術分野】
【０００１】
本開示は、眼科手術中の使用のための、ブリスタパックからの無菌製品の系統的な、制御された除去のためのシステムおよび方法に関する。
【背景技術】
【０００２】
屈折矯正手術など眼科手術中に、無菌製品がブリスタパックに入った状態で提供されることが多い。これらの製品は、レンズなどの繊細な表面を有している。
【発明の概要】
【発明が解決しようとする課題】
【０００３】
現在、手術室担当看護師など非無菌ユーザがブリスタパックを開ける。ブリスタパックの外側は無菌ではなく、閉じたブリスタパックを開くために触れなければならない。次いで、非無菌ユーザは、開かれたブリスタパックから物品を除去する前に手の消毒を行わなければならない。これは外科手術を複雑にするとともに長引かせ、偶発的な汚染および無菌状態の喪失の可能性を高める。
【課題を解決するための手段】
【０００４】
この開示は、非無菌ユーザが手の消毒を行うことを必要とせずに、ブリスタパックからの繊細な表面を備えた無菌の物品の除去を可能にする方法を提供する。
【０００５】
一実施形態において、本開示は、内部に無菌製品を備えたブリスタパックを使用する、ブリスタパックから保護層を除去する、ブリスタパックを逆さにする、ブリスタパックを無菌の表面上に置く、ブリスタパックの裏の少なくとも１つの画定された圧点を押す、および、ブリスタパックを除去する方法に関する。
【０００６】
別の実施形態において、本開示は、内部に無菌製品を備えたブリスタパックを使用する、ブリスタパックから保護層を除去する、ブリスタパックを逆さにする、ブリスタパックを無菌の表面上に置く、ブリスタパックの裏の少なくとも１つの画定された点から着脱可能な突起を除去する、およびブリスタパックを除去する方法に関する。
【０００７】
別の実施形態において、本開示は、無菌の保持領域と、無菌の眼科手術器具と、無菌の眼科手術器具の制御された除去のためにブリスタパックの裏の裏に印が付けられた少なくとも１つの点とを備えたブリスタバックに関する。
【０００８】
以下の明細書、特許請求の範囲、および図面を考慮すると、他の技術的利点が当業者には明らかとなる。
【０００９】
本発明ならびにその特徴および利点のより完全な理解のために、添付図面と併せて以下の説明がここで参照される。
【図面の簡単な説明】
【００１０】
【図１】２つの無菌の眼科手術器具と画定された圧点とを備えたブリスタパックの表の正確な縮尺ではない概略図である。
【図２】図１のブリスタパックの裏の正確な縮尺ではない概略図である。
【図３】画定された圧点を備えたブリスタパックを使用するための方法のフローチャートである。
【図４】画定された圧点を備えたブリスタパックの表の立面図である。
【図５】図４のブリスタパックの裏の立面図である。
【発明を実施するための形態】
【００１１】
この開示は、非無菌ユーザが手の消毒を行うことを必要とせずに、ブリスタパックからの繊細な表面を備えた無菌の物品の除去を可能にする方法を提供する。この開示は、画定された圧点を備えたブリスタパックと、その使用の方法とを提供する。
【００１２】
以下の説明において、詳細は、開示された主題の議論を円滑にするために一例として明らかにされる。しかしながら、開示された実施形態は例示的であるとともに、全ての可能な実施形態を網羅したものではないことが、当業者には明らかであるはずである。
【００１３】
ここで図面を参照すると、図１および図２は、ブリスタパック１００である。図１に示された実施形態において、ブリスタパック１００の表１１０は、２つの無菌の保持領域１２０、１３０を含む。各無菌の保持領域は、単一の無菌の眼科手術器具（例えば、無菌の眼科手術器具１２２、無菌の眼科手術器具１３２）とともに示されている。単一の無菌の保持領域を備えたブリスタパックも可能である。２つ以上の無菌の眼科手術器具が単一の無菌の保持領域に配置されてもよい。図２に示される実施形態において、ブリスタパック１００の裏１９０が示されている。無菌の保持領域１２０および１３０ならびに圧点１４０、１５０、１６０、および１７０の位置が示されている。圧点１４０、１５０、１６０、および１７０は、無菌の保持領域１２０および１３０内に位置する。
【００１４】
屈折矯正手術など眼科手術中に使用され得る無菌の眼科手術器具の非限定的な例は、圧平コーンまたはレンズである。
【００１５】
図１および図２は、図示のとおり、実際には、圧点１４０、１５０、１６０、および１７０に、丸で囲まれた「Ｘ」で印が付けられている。そのような印は、任意のまたは全ての圧点１４０、１５０、１６０、および１７０について任意選択的であり、印が付けられる場合、他の表示、例えば、「Ｘ」印または「押す」などのエンボス加工された言葉が使用されてもよい。任意選択的に、圧点１４０、１５０、１６０、および１７０は、ブリスタパック１００の裏面１９０に印が付けられており、表面１１０には印が付けられていない。ブリスタパックが、圧点が特定の順番または特定の組合せで押されることを求める場合、ブリスタパックにはそのように印が付けられる。
【００１６】
本発明は、ブリスタパック１００の裏面１９０が無菌であることを求めない。
【００１７】
圧点は、無菌の眼科手術器具上の繊細なスポットまたは脆弱なスポットを回避するように配置される。単純な無菌の障壁を備えたパッケージ設計の場合、そのような画定された圧点が無いことは、特に無菌の眼科手術器具の除去中に繊細な表面へ損傷を与えるリスクが増加することを意味する。圧点を使用した、無菌の眼科手術器具の制御された除去を可能にすることにより、無菌の眼科手術器具は、制御された時間に、制御されたやり方で脱落するはずである。
【００１８】
図示されない別の実施形態において、ブリスタパック１００は、圧点の任意の１つまたは複数の代わりに可動の突起を含んでもよい。可動の突起は、それらが動かされるとき、例えば作動させられる、除去される、動かされる、または回して外されるときに、ブリスタパック１００の内部を無菌に保つように設計される。
【００１９】
図３は、画定された圧点を備えたブリスタパック２００の表の立面図である。図３に示された実施形態において、ブリスタパック２００の表２１０は、２つの無菌の保持領域２２０、２３０を含む。各無菌の保持領域は、単一の無菌の眼科手術器具（例えば、無菌の眼科手術器具２２２、無菌の眼科手術器具２３２）とともに示されている。単一の無菌の保持領域を備えたブリスタパックも可能である。２つ以上の無菌の眼科手術器具が、単一の無菌の保持領域に配置されてもよい。無菌の保持領域２２０および２３０ならびに圧点２４０、２５０、および２６０の位置が示されている。
【００２０】
図４は、画定された圧点を備えたブリスタパック２００の裏の立面図である。図４に示される実施形態において、ブリスタパック２００の裏２９０が示されている。無菌の保持領域２２０および２３０ならびに圧点２４０、２５０、および２６０の位置が示されている。圧点２４０、２５０、および２６０は、無菌の保持領域２２０および２３０の近くに位置する。
【００２１】
図５は、画定された除去部位を備えたブリスタパック、例えばブリスタパック１００を使用する方法のフローチャートである。
【００２２】
この実施形態において、手術室（ＯＲ）の準備または眼科手術が開始される、３０２。
【００２３】
保護カバーがブリスタパックから除去される、３０４。
【００２４】
次いで、ブリスタパックは無菌の表面上へ逆さまにされる、３０６。ブリスタパックの表面および内部を両方とも無菌状態で維持することが重要である。
【００２５】
次に、少なくとも１つの、恐らくは全ての圧点が押される、３０８。ブリスタパックが、圧点が特定の順番または特定の組合せで押されることを求める場合、ブリスタパックにはそのように印が付けられる。別の実施形態において、圧点は、このステップで除去される着脱可能な突起である。
【００２６】
最後に、ブリスタパックが無菌の表面から除去される、３１０。
【００２７】
上記で開示された主題は、例示的なものとみなされ、限定的なものとはみなされず、添付の特許請求の範囲は、本開示の真の趣旨および範囲内に該当する全ての修正形態、改良形態、および他の実施形態をカバーすることを意図される。したがって、法により許される最大限、本開示の範囲は、以下の特許請求の範囲およびそれらの均等物の許容される最も幅広い解釈により決定され、前述の詳細な説明により制限も限定もされるものではない。例えば、本明細書における多くの例示的実施形態は、ブリスタパックを使用して図示および説明されている。様々なタイプの無菌の眼科手術器具が、ブリスタパック設計の複雑さを相応して増加させつつ、そのような実施形態において使用され得ることは当業者には明らかである。
【図１】
2019520911.tif 000003
【図２】
2019520911.tif 000004
【図３】
2019520911.tif 000005
【図４】
2019520911.tif 000006
【図５】
2019520911.tif 000007
【国際調査報告】
2019520911.tif 000008
2019520911.tif 000009